(57)【要約】【課題】より迅速に流量計のゼロ点調整が実施できるようにする。【解決手段】流体停止部１０３は、流体の流れを停止する。ヒータ停止部１０４は、ヒータ１２２の動作を停止する。温度差検出部１０５は、ヒータ停止部１０４がヒータを停止した状態で第１温度測定部１２１と第２温度測定部１２３との温度測定結果の差がゼロとなる状態を検出する。ゼロ点調整部１０６は、温度差検出部１０５が、第１温度測定部１２１と第２温度測定部１２３との温度測定結果の差がゼロとなる状態を検出すると、流量算出部１０２が出力する流量値がゼロとなるように流量算出部１０２を調整する。【選択図】  図１
2020012777.tif 000002
【特許請求の範囲】
【請求項１】
測定対象の流体が流れる上流から下流に向かって順次に配置された第１温度測定部、ヒータ、第２温度測定部を備え、前記第１温度測定部と前記第２温度測定部との温度測定結果の差を元に前記流体の流量に応じたセンサ値を出力するセンサ部と、前記センサ値を元に前記流体の流量値を求める流量算出部とを備える流量制御装置において、
前記流体の流れを停止するように構成された流体停止部と、
前記ヒータを停止するように構成されたヒータ停止部と、
前記ヒータ停止部が前記ヒータを停止した状態で前記第１温度測定部と前記第２温度測定部との温度測定結果の差がゼロとなる状態を検出するように構成された温度差検出部と、
前記温度差検出部が、前記第１温度測定部と前記第２温度測定部との温度測定結果の差がゼロとなる状態を検出すると、前記流量算出部が出力する流量値がゼロとなるように前記流量算出部を調整するように構成されたゼロ点調整部と
を備えることを特徴とする流量制御装置。
【請求項２】
測定対象の流体が流れる上流から下流に向かって順次に配置された第１温度測定部、ヒータ、第２温度測定部を備え、前記第１温度測定部と前記第２温度測定部との温度測定結果の差を元に前記流体の流量に応じたセンサ値を出力するセンサ部と、前記センサ値を元に前記流体の流量値を求める流量算出部とを備える流量制御装置において、
前記流体の流れを停止するように構成された流体停止部と、
前記ヒータを停止するように構成されたヒータ停止部と、
前記ヒータ停止部が前記ヒータを停止した状態で前記センサ部が出力する前記センサ値の振れ幅が設定されている規定値以下になる状態を検出するように構成されたセンサ値検出部と、
前記センサ値検出部が、前記センサ値の振れ幅が設定されている規定値以下になる状態を検出すると、前記流量算出部が出力する流量値がゼロとなるように前記流量算出部を調整するように構成されたゼロ点調整部と
を備えることを特徴とする流量制御装置。
【請求項３】
測定対象の流体が流れる上流から下流に向かって順次に配置された第１温度測定部、ヒータ、第２温度測定部を備え、前記第１温度測定部と前記第２温度測定部との温度測定結果の差を元に前記流体の流量に応じたセンサ値を出力するセンサ部と、前記センサ値を元に前記流体の流量値を求める流量算出部とを備える流量制御装置において、
前記流体の流れを停止するように構成された流体停止部と、
前記ヒータを停止するように構成されたヒータ停止部と、
前記ヒータ停止部が、前記ヒータを停止した時点より設定されている時間が経過したか否かを判定するように構成された経過時間判定部と、
前記経過時間判定部が、前記ヒータを停止した時点より設定されている時間が経過したことを判定すると、前記流量算出部が出力する流量値がゼロとなるように前記流量算出部を調整するように構成されたゼロ点調整部と
を備えることを特徴とする流量制御装置。
【請求項４】
測定対象の流体が流れる上流から下流に向かって順次に配置された第１温度測定部、ヒータ、第２温度測定部を備え、前記第１温度測定部と前記第２温度測定部との温度測定結果の差を元に前記流体の流量に応じたセンサ値を出力するセンサ部と、前記センサ値を元に前記流体の流量値を求める流量算出部とを備える流量制御装置のゼロ点調整方法であって、
前記流体の流れを停止する第１ステップと、
前記ヒータを停止する第２ステップと、
前記流体の流れを停止し、前記ヒータを停止した状態で前記第１温度測定部と前記第２温度測定部との温度測定結果の差がゼロとなる状態を検出する第３ステップと、
前記第３ステップで、前記第１温度測定部と前記第２温度測定部との温度測定結果の差がゼロとなる状態が検出されると、前記流量算出部が出力する流量値がゼロとなるように前記流量算出部を調整する第４ステップと
を備えることを特徴とするゼロ点調整方法。
【請求項５】
測定対象の流体が流れる上流から下流に向かって順次に配置された第１温度測定部、ヒータ、第２温度測定部を備え、前記第１温度測定部と前記第２温度測定部との温度測定結果の差を元に前記流体の流量に応じたセンサ値を出力するセンサ部と、前記センサ値を元に前記流体の流量値を求める流量算出部とを備える流量制御装置のゼロ点調整方法であって、
前記流体の流れを停止する第１ステップと、
前記ヒータを停止する第２ステップと、
前記流体の流れを停止し、前記ヒータを停止した状態で前記センサ部が出力する前記センサ値の振れ幅が設定されている規定値以下になる状態を検出する第３ステップと、
前記第３ステップで、前記センサ値の振れ幅が設定されている規定値以下になる状態が検出されると、前記流量算出部が出力する流量値がゼロとなるように前記流量算出部を調整する第４ステップと
を備えることを特徴とするゼロ点調整方法。
【請求項６】
測定対象の流体が流れる上流から下流に向かって順次に配置された第１温度測定部、ヒータ、第２温度測定部を備え、前記第１温度測定部と前記第２温度測定部との温度測定結果の差を元に前記流体の流量に応じたセンサ値を出力するセンサ部と、前記センサ値を元に前記流体の流量値を求める流量算出部とを備える流量制御装置のゼロ点調整方法であって、
前記流体の流れを停止する第１ステップと、
前記ヒータを停止する第２ステップと、
前記流体の流れを停止し、前記ヒータを停止した時点より設定されている時間が経過したか否かを判定する第３ステップと、
前記第３ステップで、前記ヒータを停止した時点より設定されている時間が経過したことが判定されると、前記流量算出部が出力する流量値がゼロとなるように前記流量算出部を調整する第４ステップと
を備えることを特徴とするゼロ点調整方法。
【発明の詳細な説明】
【技術分野】
【０００１】
本発明は、熱式流量計を用いた流量制御装置およびゼロ点調整方法に関する。
【背景技術】
【０００２】
流路を流れる流体の流量や流速を測定する技術が、工業・医療分野などで幅広く利用されている。流量や流速を測定する装置としては、電磁流量計、渦流量計、コリオリ式流量計、熱式流量計など様々な種類があり、用途に応じて使い分けられている。熱式流量計は、 気体の検出が可能であり、圧力損失が基本的にはなく、質量流量が測定できるなどの利点がある。また、流路をガラス管から構成することで、腐食性の液体の流量を測定可能とした熱式流量計も用いられている（特許文献１参照）。このような液体の流量を測定する熱式流量計は、微量な流量の測定に適している。
【０００３】
熱式流量計では、ヒータの上下流の温度差により流量を測定している。配管の上流から下流に向かって第１温度測定部、ヒータ、第２温度測定部を順次設け、第１温度測定部で測定された温度と第２温度測定部で測定された温度との差より、測定対象の流体の流量を求めて流量値としている。
【０００４】
流量制御装置は、流路に流れる流体の流量を上述した流量計により測定し、測定された流量値が目標値である設定流量値となるように流体制御バルブの開度を制御している。この流量制御装置は、出荷時や現場で測定対象の流体の組成などが変更される場合などにゼロ点調整が実施されている。ゼロ点調整では、流量がゼロとされている状態で、流量計より出力される流量値がゼロとなるように、流量計の調整を行う。
【０００５】
このゼロ点調整において、バルブが全閉であるにも関わらす、第１温度測定部と第２温度測定部との間に温度差が発生し、ゼロでない流量値が出力される場合がある。例えば、流量計の各温度測定部が、測定対象の流れ方向に対して垂直方向に配列されている場合、上述した状態となる。この場合、ヒータにより加熱された流体が上昇するため、第１温度測定部と第２温度測定部との間に温度差が発生する。また、配管の脈動があると、この影響により、第１温度測定部と第２温度測定部との間に温度差が発生する。
【０００６】
これに対し、ヒータによる加熱を停止した状態でゼロ点調整を行うことで、上述した問題を解消するゼロ点調整の方法がある。ヒータによる加熱を停止していれば、第１温度測定部と第２温度測定部との間に温度差は発生しない。
【先行技術文献】
【特許文献】
【０００７】
【特許文献１】特開２００６−０１０３２２号公報
【発明の概要】
【発明が解決しようとする課題】
【０００８】
しかしながら、ヒータの加熱を停止しても、余熱が存在しているため、ヒータを停止した直後では、バルブが全閉であっても、第１温度測定部と第２温度測定部との間に温度差が発生する場合がある。この状態を回避するために、ヒータの加熱を停止した後、余熱が無くなるまで待機すればよいが、どれだけ待機すればよいかが不明確であり、迅速な調整ができないという問題があった。
【０００９】
本発明は、以上のような問題点を解消するためになされたものであり、より迅速に流量計のゼロ点調整が実施できるようにすることを目的とする。
【課題を解決するための手段】
【００１０】
本発明に係る流量制御装置は、測定対象の流体が流れる上流から下流に向かって順次に配置された第１温度測定部、ヒータ、第２温度測定部を備え、第１温度測定部と第２温度測定部との温度測定結果の差を元に流体の流量に応じたセンサ値を出力するセンサ部と、センサ値を元に流体の流量値を求める流量算出部とを備える流量制御装置において、流体の流れを停止するように構成された流体停止部と、ヒータを停止するように構成されたヒータ停止部と、ヒータ停止部がヒータを停止した状態で第１温度測定部と第２温度測定部との温度測定結果の差がゼロとなる状態を検出するように構成された温度差検出部と、温度差検出部が、第１温度測定部と第２温度測定部との温度測定結果の差がゼロとなる状態を検出すると、流量算出部が出力する流量値がゼロとなるように流量算出部を調整するように構成されたゼロ点調整部とを備える。
【００１１】
本発明に係る流量制御装置は、測定対象の流体が流れる上流から下流に向かって順次に配置された第１温度測定部、ヒータ、第２温度測定部を備え、第１温度測定部と第２温度測定部との温度測定結果の差を元に流体の流量に応じたセンサ値を出力するセンサ部と、センサ値を元に流体の流量値を求める流量算出部とを備える流量制御装置において、流体の流れを停止するように構成された流体停止部と、ヒータを停止するように構成されたヒータ停止部と、ヒータ停止部がヒータを停止した状態でセンサ部が出力するセンサ値の振れ幅が設定されている規定値以下になる状態を検出するように構成されたセンサ値検出部と、センサ値検出部が、センサ値の振れ幅が設定されている規定値以下になる状態を検出すると、流量算出部が出力する流量値がゼロとなるように流量算出部を調整するように構成されたゼロ点調整部とを備える。
【００１２】
本発明に係る流量制御装置は、測定対象の流体が流れる上流から下流に向かって順次に配置された第１温度測定部、ヒータ、第２温度測定部を備え、第１温度測定部と第２温度測定部との温度測定結果の差を元に流体の流量に応じたセンサ値を出力するセンサ部と、センサ値を元に流体の流量値を求める流量算出部とを備える流量制御装置において、流体の流れを停止するように構成された流体停止部と、ヒータを停止するように構成されたヒータ停止部と、ヒータ停止部が、ヒータを停止した時点より設定されている時間が経過したか否かを判定するように構成された経過時間判定部と、経過時間判定部が、ヒータを停止した時点より設定されている時間が経過したことを判定すると、流量算出部が出力する流量値がゼロとなるように流量算出部を調整するように構成されたゼロ点調整部とを備える。
【００１３】
本発明に係るゼロ点調整方法は、測定対象の流体が流れる上流から下流に向かって順次に配置された第１温度測定部、ヒータ、第２温度測定部を備え、第１温度測定部と第２温度測定部との温度測定結果の差を元に流体の流量に応じたセンサ値を出力するセンサ部と、センサ値を元に流体の流量値を求める流量算出部とを備える流量制御装置のゼロ点調整方法であって、流体の流れを停止する第１ステップと、ヒータを停止する第２ステップと、流体の流れを停止し、ヒータを停止した状態で第１温度測定部と第２温度測定部との温度測定結果の差がゼロとなる状態を検出する第３ステップと、第３ステップで、第１温度測定部と第２温度測定部との温度測定結果の差がゼロとなる状態が検出されると、流量算出部が出力する流量値がゼロとなるように流量算出部を調整する第４ステップとを備える。
【００１４】
本発明に係るゼロ点調整方法は、測定対象の流体が流れる上流から下流に向かって順次に配置された第１温度測定部、ヒータ、第２温度測定部を備え、第１温度測定部と第２温度測定部との温度測定結果の差を元に流体の流量に応じたセンサ値を出力するセンサ部と、センサ値を元に流体の流量値を求める流量算出部とを備える流量制御装置のゼロ点調整方法であって、流体の流れを停止する第１ステップと、ヒータを停止する第２ステップと、流体の流れを停止し、ヒータを停止した状態でセンサ部が出力するセンサ値の振れ幅が設定されている規定値以下になる状態を検出する第３ステップと、第３ステップで、センサ値の振れ幅が設定されている規定値以下になる状態が検出されると、流量算出部が出力する流量値がゼロとなるように流量算出部を調整する第４ステップとを備える。
【００１５】
本発明に係るゼロ点調整方法は、測定対象の流体が流れる上流から下流に向かって順次に配置された第１温度測定部、ヒータ、第２温度測定部を備え、第１温度測定部と第２温度測定部との温度測定結果の差を元に流体の流量に応じたセンサ値を出力するセンサ部と、センサ値を元に流体の流量値を求める流量算出部とを備える流量制御装置のゼロ点調整方法であって、流体の流れを停止する第１ステップと、ヒータを停止する第２ステップと、流体の流れを停止し、ヒータを停止した時点より設定されている時間が経過したか否かを判定する第３ステップと、第３ステップで、ヒータを停止した時点より設定されている時間が経過したことが判定されると、流量算出部が出力する流量値がゼロとなるように流量算出部を調整する第４ステップとを備える。
【発明の効果】
【００１６】
以上説明したことにより、本発明によれば、より迅速に流量計のゼロ点調整が実施できるという優れた効果が得られる。
【図面の簡単な説明】
【００１７】
【図１】図１は、本発明の実施の形態１における流量制御装置の構成を示す構成図である。
【図２】図２は、センサ部１０１の構成を示す構成図である。
【図３】図３は、本発明の実施の形態１における流量制御装置のゼロ点調整方法を説明するためのフローチャートである。
【図４】図４は、本発明の実施の形態２における流量制御装置の構成を示す構成図である。
【図５】図５は、本発明の実施の形態２における流量制御装置のゼロ点調整方法を説明するためのフローチャートである。
【図６】図６は、本発明の実施の形態３における流量制御装置の構成を示す構成図である。
【図７】図７は、本発明の実施の形態３における流量制御装置のゼロ点調整方法を説明するためのフローチャートである。
【発明を実施するための形態】
【００１８】
以下、本発明の実施の形態おける流量制御装置について説明する。
【００１９】
［実施の形態１］
はじめに、本発明の実施の形態１における流量制御装置について、図１を参照して説明する。この流量制御装置は、センサ部１０１、流量算出部１０２、流体停止部１０３、ヒータ停止部１０４、温度差検出部１０５、ゼロ点調整部１０６を備える。
【００２０】
センサ部１０１は、図２に例示するように、測定対象の流体１５１が配管１５２を流れる上流から下流に向かって順次に配置された第１温度測定部１２１、ヒータ１２２、第２温度測定部１２３を備える。センサ部１０１は、第１温度測定部１２１と第２温度測定部１２３との温度測定結果の差を元に、流体１５１の流量に応じたセンサ値を出力する。流量算出部１０２は、センサ部１０１が出力したセンサ値を元に、流体１５１の流量値を求める。センサ部１０１および流量算出部１０２は、よく知られた熱式流量計である。
【００２１】
流体停止部１０３は、流体の流れを停止する。例えば、流体停止部１０３は、図２に示す配管１５２の図示しない上流側に設けられているバルブを全閉状態とすることで、流体１５１の流れを停止する。ヒータ停止部１０４は、ヒータ１２２の動作を停止する。
【００２２】
温度差検出部１０５は、ヒータ停止部１０４がヒータを停止した状態で第１温度測定部１２１と第２温度測定部１２３との温度測定結果の差がゼロとなる状態を検出する。ゼロ点調整部１０６は、温度差検出部１０５が、第１温度測定部１２１と第２温度測定部１２３との温度測定結果の差がゼロとなる状態を検出すると、流量算出部１０２が出力する流量値がゼロとなるように流量算出部１０２を調整する。
【００２３】
次に、本発明の実施の形態１における流量制御装置のゼロ点調整方法について、図３のフローチャートを用いて説明する。
【００２４】
まず、ステップＳ１０１で、流体停止部１０３が、流体１５１の流れを停止する（第１ステップ）。次に、ステップＳ１０２で、ヒータ停止部１０４が、ヒータ１２２の動作を停止する（第２ステップ）。
【００２５】
上述したように、流体１５１の流れを停止し、ヒータ１２２の動作を停止した後、ステップＳ１０３で、温度差検出部１０５が、第１温度測定部１２１と第２温度測定部１２３との温度測定結果の差を検出する。温度差検出部１０５が、第１温度測定部１２１と第２温度測定部１２３との温度測定結果の差がゼロになったことを検出すると（ステップＳ１０４のｙｅｓ）、ステップＳ１０５で、ゼロ点調整部１０６が、流量算出部１０２が出力する流量値がゼロとなるように流量算出部１０２を調整する。
【００２６】
以上に説明したように、実施の形態１によれば、第１温度測定部１２１と第２温度測定部１２３との温度測定結果の差がゼロとなる状態が検出されると、ゼロ点調整部１０６がゼロ点調整を実施する。第１温度測定部１２１と第２温度測定部１２３との温度測定結果の差がゼロとなる状態は、ヒータ１２２の加熱を停止した後の余熱が無くなっている状態と考えることができ、実施の形態１では、この時点でゼロ点調整を実施する。この結果、実施の形態１によれば、確実に余熱が無くなったと思われるまで無駄に待機することなく、迅速にゼロ点調整が実施できるようになる。
【００２７】
［実施の形態２］
次に、本発明の実施の形態２における流量制御装置について、図４を参照して説明する。この流量制御装置は、センサ部１０１、流量算出部１０２、流体停止部１０３、ヒータ停止部１０４、センサ値検出部１０７、ゼロ点調整部１０６ａを備える。センサ部１０１、流量算出部１０２、流体停止部１０３、ヒータ停止部１０４は、前述した実施の形態１と同様である。
【００２８】
実施の形態２において、センサ値検出部１０７は、ヒータ停止部１０４がヒータを停止した状態で、センサ部１０１が出力するセンサ値の振れ幅が設定されている規定値以下になる状態を検出する。センサ値の振れ幅の判断基準とする規定値は、予め余熱を測定しながらセンサ値の振れ幅を測定する中で、決定しておけばよい。ゼロ点調整部１０６ａは、センサ値検出部１０７が、センサ値の振れ幅が設定されている規定値以下になる状態を検出すると、流量算出部１０２が出力する流量値がゼロとなるように流量算出部１０２を調整する。
【００２９】
次に、本発明の実施の形態２における流量制御装置のゼロ点調整方法について、図５のフローチャートを用いて説明する。まず、ステップＳ１０１で、流体停止部１０３が、流体１５１の流れを停止する（第１ステップ）。次に、ステップＳ１０２で、ヒータ停止部１０４が、ヒータ１２２の動作を停止する（第２ステップ）。ここまでは、前述した実施の形態１と同様である。
【００３０】
上述したように、流体１５１の流れを停止し、ヒータ１２２の動作を停止した後、ステップＳ１０６で、センサ値検出部１０７が、センサ部１０１が出力するセンサ値の振れ幅を測定（検出）する。センサ値検出部１０７が、検出しているセンサ値の振れ幅が、設定されている規定値以下になったことを検出すると（ステップＳ１０７のｙｅｓ）、ステップＳ１０５で、ゼロ点調整部１０６が、流量算出部１０２が出力する流量値がゼロとなるように流量算出部１０２を調整する。
【００３１】
以上に説明したように、実施の形態２によれば、センサ部１０１が出力するセンサ値の振れ幅が設定されている規定値以下になる状態が検出されると、ゼロ点調整部１０６ａがゼロ点調整を実施する。センサ部１０１が出力するセンサ値の振れ幅が設定されている規定値以下になる状態は、ヒータ１２２の加熱を停止した後の余熱が無くなっている状態と考えることができる。実施の形態２では、この時点でゼロ点調整を実施する。この結果、実施の形態２によれば、確実に余熱が無くなったと思われるまで無駄に待機することなく、迅速にゼロ点調整が実施できるようになる。
【００３２】
［実施の形態３］
次に、本発明の実施の形態３における流量制御装置について、図６を参照して説明する。この流量制御装置は、センサ部１０１、流量算出部１０２、流体停止部１０３、ヒータ停止部１０４、経過時間判定部１０８、ゼロ点調整部１０６ｂを備える。センサ部１０１、流量算出部１０２、流体停止部１０３、ヒータ停止部１０４は、前述した実施の形態１と同様である。
【００３３】
実施の形態３において、経過時間判定部１０８は、ヒータ停止部１０４がヒータを停止した時点より設定されている時間が経過したか否かを判定する。設定されている時間は、予め余熱を測定しながら、時間の経過を測定する中で決定しておけばよい。ゼロ点調整部１０６ｂは、経過時間判定部１０８が、ヒータを停止した時点より設定されている時間が経過したことを判定すると、流量算出部１０２が出力する流量値がゼロとなるように流量算出部１０２を調整する。
【００３４】
次に、本発明の実施の形態３における流量制御装置のゼロ点調整方法について、図７のフローチャートを用いて説明する。まず、ステップＳ１０１で、流体停止部１０３が、流体１５１の流れを停止する（第１ステップ）。次に、ステップＳ１０２で、ヒータ停止部１０４が、ヒータ１２２の動作を停止する（第２ステップ）。ここまでは、前述した実施の形態１と同様である。
【００３５】
上述したように、流体１５１の流れを停止し、ヒータ１２２の動作を停止した後、ステップＳ１０８で、経過時間判定部１０８が、時間の経過計測を開始する。経過時間判定部１０８が、計測している時間が、設定されている時間になったことを判断すると（ステップＳ１０９のｙｅｓ）、ステップＳ１０５で、ゼロ点調整部１０６ｂが、流量算出部１０２が出力する流量値がゼロとなるように流量算出部１０２を調整する。
【００３６】
以上に説明したように、実施の形態３によれば、ヒータを停止した時点より設定されている時間が経過すると、ゼロ点調整部１０６ａがゼロ点調整を実施する。ヒータを停止してから予め設定されている規定時間が経過すれば、ヒータ１２２の加熱を停止した後の余熱が無くなっている状態と考えることができる。実施の形態３では、この時点でゼロ点調整を実施する。この結果、実施の形態３によれば、確実に余熱が無くなったと思われるまで無駄に待機することなく、迅速にゼロ点調整が実施できるようになる。
【００３７】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００３８】
１０１…センサ部、１０２…流量算出部、１０３…流体停止部、１０４…ヒータ停止部、１０５…温度差検出部、１０６，１０６ａ，１０６ｂ…ゼロ点調整部、１０７…センサ値検出部、１０８…経過時間判定部。
【図１】
2020012777.tif 000003
【図２】
2020012777.tif 000004
【図３】
2020012777.tif 000005
【図４】
2020012777.tif 000006
【図５】
2020012777.tif 000007
【図６】
2020012777.tif 000008
【図７】
2020012777.tif 000009